(57)【要約】【課題】加熱処理する粗バーの幅方向位置をサイドエッジ部を傷付けることなく調整する。【解決手段】熱間圧延ラインを挟むよう上下両側に配した上ピンチロール１４及び下ピンチロール１５と、上ピンチロール１４を下ピンチロール１５側へ所要の圧力で押し付けるための上部ロール押圧用シリンダ２１と、各ピンチロール１４，１５を軸方向へシフトさせるサイドシフトシリンダ２８と、周速が粗バー３の送り速度と一致するよう各ピンチロール１４，１５を粗バー３の送り方向へ回転駆動するモータ４２とを備えたピンチロール式サイドシフト装置１３を、バーヒータやエッジヒータの上流側に設置する。粗バー３をサイドシフト装置１３の上下ピンチロール１４，１５で上下より挟み、サイドシフトシリンダ２８にて各ピンチロール１４，１５を左右方向へシフトさせることにより、挟まれた粗バー３を一緒に幅方向へシフトさせる。【選択図】        図１
2004237325.tif 000002
【特許請求の範囲】
【請求項１】
粗圧延機にて粗圧延された粗バーを、上下より挟んだまま幅方向にシフトさせて加熱装置に対するサイドポジションを制御することを特徴とする熱間粗バーのサイドポジション制御方法。
【請求項２】
粗圧延機にて粗圧延された粗バーを、左右方向から押すことにより幅方向にシフトさせて加熱装置に対するサイドポジションを制御することを特徴とする熱間粗バーのサイドポジション制御方法。
【請求項３】
上下のピンチロールにより粗バーを挟み、該ピンチロールとともに幅方向にシフトさせる請求項１記載の熱間粗バーのサイドポジション制御方法。
【請求項４】
端部に段差部を有する搬送用ロールを粗バーの幅方向にシフトさせることによって、該段差部により粗バーを左右方向から押して幅方向にシフトさせる請求項２記載の熱間粗バーのサイドポジション制御方法。
【請求項５】
粗バーの幅方向へのシフトを、該粗バーのサイドエッジの位置信号に基づいて行うようにする請求項１、２、３又は４記載の熱間粗バーのサイドポジション制御方法。
【請求項６】
粗バーの幅方向へのシフトを、該粗バーの幅方向の温度分布に基づいて行うようにする請求項１、２、３又は４記載の熱間粗バーのサイドポジション制御方法。
【請求項７】
粗バーの左右のサイドエッジに温度差がある場合に、該温度差がなくなるように加熱装置のヒータ部の位置に応じて該粗バーを幅方向にシフトさせる請求項６記載の熱間粗バーのサイドポジション制御方法。
【請求項８】
粗圧延機にて粗圧延された粗バーを上下より挟むための上下一対のピンチロールと、該ピンチロールを粗バーの幅方向と同方向に同時に駆動させるサイドシフト用駆動装置と、を有するサイドシフト装置と、該サイドシフト装置の駆動を制御する制御器と、を備える構成を有することを特徴とする熱間粗バーのサイドポジション制御装置。
【請求項９】
粗圧延機にて粗圧延された粗バーの下方に設けられ両端部に段差部を有する搬送用ロールと、該搬送用ロールを粗バーの幅方向に駆動させるサイドシフト用駆動装置と、を有するサイドシフト装置と、該サイドシフト装置の駆動を制御する制御器と、を備える構成を有することを特徴とする熱間粗バーのサイドポジション制御装置。
【請求項１０】
粗圧延機にて粗圧延された粗バーの下方に設けられ左端部に段差部を有する第一の搬送用ロールと、前記粗バーの下方に設けられ右端部に段差部を有する第二の搬送用ロールと、該第一の搬送用ロール及び該第二の搬送用ロールを粗バーの幅方向に駆動させるサイドシフト用駆動装置と、を有するサイドシフト装置と、該サイドシフト装置の駆動を制御する制御器と、を備える構成を有することを特徴とする熱間粗バーのサイドポジション制御装置。
【請求項１１】
サイドシフト装置の上流側に、粗バーのサイドエッジ位置を検出するエッジセンサーを設け、且つ制御器を、上記エッジセンサーの検出結果に基づいて前記サイドシフト装置の駆動を制御するものとした請求項８、９又は１０記載の熱間粗バーのサイドポジション制御装置。
【請求項１２】
サイドシフト装置の上流側に、粗バーの幅方向の温度分布を検出する温度分布センサーを設け、且つ制御器を、上記温度分布センサーの検出結果に基づいて前記サイドシフト装置の駆動を制御するものとした請求項８、９又は１０記載の熱間粗バーのサイドポジション制御装置。
【請求項１３】
サイドシフト装置の上流側に、粗バーのサイドエッジ位置を検出するエッジセンサーと、前記粗バーの幅方向の温度分布を検出する温度分布センサーとを設け、且つ制御器を、上記エッジセンサー及び温度分布センサーの検出結果に基づいて前記サイドシフト装置の駆動を制御するものとした請求項８、９又は１０記載の熱間粗バーのサイドポジション制御装置。
【発明の詳細な説明】
【０００１】
【発明の属する技術分野】
本発明は熱間圧延設備における粗圧延機で粗圧延される粗バーを、仕上圧延機で仕上圧延する前に加熱装置で加熱処理するときに、該粗バーの幅方向の位置を調整するための熱間粗バーのサイドポジション制御方法及び装置に関するものである。
【０００２】
【従来の技術】
熱間圧延設備にて熱間鋼帯を製造する場合は、図１３（イ）（ロ）にその一例の概略を示す如く、先ず、図示しない加熱炉で昇温された被圧延材のスラブ１を、粗圧延機２にて粗圧延して、たとえば、２０〜４０ｍｍ程度の厚さで７０〜１００ｍ程度の長さ寸法を有する中間材としての粗バー３を成形させ、次に、上記粗圧延機２にて粗圧延される粗バー３の平坦度、すなわち、長手方向の全長あるいは一部に生じる上下方向に波打つような変形（うねり変形）を、ホットレベラー４に通して平坦に矯正するようにし、次いで、上記ホットレベラー４にて平坦度の矯正された粗バー３を、加熱装置として、粗バー３の長さ方向及び幅方向の全体に亘って加熱する誘導加熱装置としてのバーヒータ５と、粗バー３の幅方向両端のサイドエッジ部を加熱する誘導加熱装置としてのエッジヒータ６によってそれぞれ加熱処理することにより、上記粗バー３を所要温度（たとえば、１０００〜１１００℃）まで昇温させ、しかる後、昇温された上記粗バー３を仕上圧延機７で仕上圧延させて、所要の板幅、板厚の熱間鋼帯８を形成させるようにしている。
【０００３】
なお、上記熱間圧延設備において、加熱装置としてのバーヒータ５とエッジヒータ６は上下流方向の配置を逆にして処理順序を逆にすることも行われている。
【０００４】
ところで、上記バーヒータ５及びエッジヒータ６における加熱処理が行われた後の粗バー３において、該粗バー３の幅方向に温度分布の偏りが生じていると、その温度分布の偏りに伴って幅方向で変形抵抗に差が生じるため、このような幅方向に温度分布の偏りのある粗バー３を仕上圧延機７へ送って仕上圧延を行わせる場合には、製造される熱間鋼帯８が左右方向へ蛇行する等、幅方向の形状が悪くなるおそれが懸念される。
【０００５】
上記のように粗バー３の幅方向に温度分布の偏りが生じる要因としては、加熱炉でのスラブの昇温のバラツキの影響が残っていたり、粗バー３の幅方向の中心が熱間圧延ラインの中心線からずれた状態にて、上記バーヒータ５やエッジヒータ６へ供給されることが考えられた。このために、粗バー３を、幅方向の温度分布が均一な状態に加熱することができるようにするための対策として、図１１（イ）（ロ）に示す如く、熱間圧延設備における上記バーヒータ５の入口側、及び、エッジヒータ６の入口側における粗バー３の幅方向の両側に、熱間圧延ライン方向に沿う板状のサイドガイド９をそれぞれ設けて、粗バー３を上記バーヒータ５又はエッジヒータ６で加熱するときに、該粗バー３の幅方向両端のサイドエッジ部を、上記左右のサイドガイド９に当ててガイドさせることにより、上記粗バー３の幅方向の中心が熱間圧延ラインの中心線に一致するよう粗バー３の幅方向位置を是正させるようにしたり（たとえば、特許文献１参照）、あるいは、図１４（イ）（ロ）に示す如く、熱間圧延設備における粗圧延機２と仕上圧延機７との間に配設した粗バー３加熱用の複数の加熱装置１０の間における粗バー３の幅方向両側位置に、サイドガイドとしての縦型ロール１１をそれぞれ設けて、粗バー３を上記各加熱装置１０へ送り込むときに、該粗バー３のサイドエッジ部を、上記左右の縦型ロール１１に当ててそれぞれガイドさせることにより、搬送される粗バー３の幅方向の中心が熱間圧延ラインの中心線に一致するよう粗バー３の幅方向位置を是正させることが従来提案されている（たとえば、特許文献２参照）。
【０００６】
なお、図１３（イ）（ロ）における符号１２はホットレベラー４よりも上流側にて加熱処理前の粗バー３の幅方向位置をガイドするサイドガイドを示す。
【０００７】
【特許文献１】
特開平９−３１４２０１号公報
【特許文献２】
特開平１０−３２８７０８号公報
【０００８】
【発明が解決しようとする課題】
ところが、上記特許文献１に示されたように、サイドガイド９によって粗バー３の幅方向の位置を是正させる場合、上記バーヒータ５にて加熱された粗バー３の幅方向両端のサイドエッジ部は１０００〜１１００℃に昇温されており、したがって、該各サイドエッジ部は傷付き易くなっていることから、粗バー３の幅方向位置を是正すべく走行して動いている状態の粗バー３のサイドエッジ部が、該粗バー３の走行方向に位置固定された上記左右のサイドガイド９に押し付けられると、該サイドガイド９との接触により、粗バー３のサイドエッジ部に、盛り上がるような変形や、めくれ、ばり等が発生し、このため製品精度が悪化すると共に、歩留まりが低下するという問題が生じるおそれがある。又、上記板状のサイドガイド９では、粗バー３のサイドエッジ部との接触時間が長くなるため、上記粗バー３のサイドエッジ部の温度低下の原因となるという不具合を生じるおそれもある。
【０００９】
又、上記特許文献２に示されたように縦型ロール１１により粗バー３のサイドエッジ部をガイドさせる場合には、上記縦型ロール１１と、粗バー３のサイドエッジ部との接触時間は短くすることができると考えられるが、この場合であっても、縦型ロール１１と粗バー３の各サイドエッジ部との接触は、線接触となるため、該粗バー３の各サイドエッジ部における盛り上がり変形、めくれ、ばり等の発生を完全には防止することができないという問題がある。
【００１０】
特に、フェライト系ステンレス鋼等の軟らかい鋼種を取り扱う場合には、上記のようなサイドエッジ部における盛り上がり変形、めくれ、ばり等が発生し易く、サイドエッジ部を傷付けるおそれがある。
【００１１】
更に、上記粗圧延機２にて粗圧延される粗バー３は幅が不均一で波状になっていることがあり、このため特許文献１に示された如き上記従来のサイドガイド９や、特許文献２に示された如き縦型ロール１１は、目標とする板幅に対し５０〜１００ｍｍ程度の余裕代を取ってガイド幅の設定を行なう必要がある。又、粗圧延機２にて粗圧延された粗バー３の平面形状が左右方向の一側に極端に湾曲していた場合には、上記サイドガイド９や縦型ロール１１のガイド幅が少なく設定されていると、上記粗バー３の先端部が、後段の仕上圧延機７に噛み込まれて幅方向に拘束されることに伴って、該粗バー３の後端側が上記サイドガイド９や縦型ロール１１に乗り上がり易くなって、粗バー３のサイドエッジ部の傷付きが多大となるおそれもあり、このことからも、ガイド幅を目標とする板幅に対し所要の余裕代を取って設定する必要がある。したがって、上記サイドガイド９や縦型ロール１１のようなガイド部材では、ガイド幅に余裕代が設定してあることから、バーヒータ５やエッジヒータ６等の加熱装置に送り込む粗バー３の幅方向位置を、正確にコントロールすることが難しく、このため粗バー３を加熱する際、幅方向の温度分布の均一化を図る上で不利になるという問題もある。
【００１２】
そこで、本発明は、粗圧延機にて粗圧延される粗バーを、仕上圧延機で仕上圧延する前に加熱するときに、粗バーのサイドエッジ部に盛り上がり変形やめくれ、ばり等を生じさせることなく粗バーの幅方向最適位置を調整でき、しかも、上記粗圧延機にて粗圧延される粗バーの幅寸法や温度が不均一な場合にも容易に対応できる熱間粗バーのサイドポジション制御方法及び装置を提供しようとするものである。
【００１３】
【課題を解決するための手段】
本発明は、上記課題を解決するために、粗圧延機にて粗圧延された粗バーを、上下より挟んだまま幅方向にシフトさせて加熱装置に対するサイドポジションを制御する熱間粗バーのサイドポジション制御方法とし、具体的には上下のピンチロールにより粗バーを挟み、該ピンチロールとともに幅方向にシフトさせるようにする熱間粗バーのサイドポジション制御方法、及び、粗圧延機にて粗圧延された粗バーを上下より挟むための上下一対のピンチロールと、該ピンチロールを粗バーの幅方向と同方向に同時に駆動させるサイドシフト用駆動装置と、を有するサイドシフト装置と、該サイドシフト装置の駆動を制御する制御器と、を備える構成を有する熱間粗バーのサイドポジション制御装置とする。
【００１４】
上下一対のピンチロールを、粗バーの送り方向へ回転させておき、加熱装置へ送られる粗バーが上記回転する上下のピンチロール間に挟まれたときに、上下のピンチロールを同時に左右方向へシフトさせると、上記ピンチロールに挟まれた粗バーは左右方向へ移動させられて、幅方向のポジションの調整が行われる。この際、上記粗バーのサイドエッジの端面に上下のピンチロールが接触することはないため、上記粗バーのサイドエッジ部が傷つけられるおそれはない。
【００１５】
又、粗圧延機にて粗圧延された粗バーを、左右方向から押すことにより幅方向にシフトさせて加熱装置に対するサイドポジションを制御する熱間粗バーのサイドポジション制御方法とし、具体的には端部に段差部を有する搬送用ロールを粗バーの幅方向にシフトさせることによって、該段差部により粗バーを左右方向から押して幅方向にシフトさせるようにする熱間粗バーのサイドポジション制御方法、及び、粗圧延機にて粗圧延された粗バーの下方に設けられ両端部に段差部を有する搬送用ロールと、該搬送用ロールを粗バーの幅方向に駆動させるサイドシフト用駆動装置と、を有するサイドシフト装置と、該サイドシフト装置の駆動を制御する制御器と、を備える構成、又は、粗圧延機にて粗圧延された粗バーの下方に設けられ左端部に段差部を有する第一の搬送用ロールと、前記粗バーの下方に設けられ右端部に段差部を有する第二の搬送用ロールと、該第一の搬送用ロール及び該第二の搬送用ロールを粗バーの幅方向に駆動させるサイドシフト用駆動装置と、を有するサイドシフト装置と、該サイドシフト装置の駆動を制御する制御器と、を備える構成を有する熱間粗バーのサイドポジション制御装置とすると、搬送用ロールの周速と粗バーの送り速度とを一致させながら、該搬送用ロールを粗バーの幅方向へ移動させるようにすることにより、搬送用ロールの段差部を、粗バーの送り方向へ粗バーの送り速度とほぼ一致した速度で移動させながら粗バーのサイドエッジ部に接触させて粗バーを左右方向へ押すことができるため、粗バーのサイドエッジ部が傷付くおそれを防止できる。
【００１６】
更に、粗バーの幅方向へのシフトを、該粗バーのサイドエッジの位置信号に基づいて行うようにする方法及び装置とすることにより、サイドエッジ位置の検出結果に基づいて、粗バーの幅方向位置を調整できるため、加熱装置にて加熱する粗バーの幅方向位置を、該加熱装置の加熱特性等を考慮した左右方向の最適位置に調整することができ、更に、粗バーの幅寸法が不均一な場合であっても容易に対応して粗バーの幅方向位置を上記最適位置に調整することが可能となり、このため上記加熱装置により粗バーを幅方向に均一に加熱することができ、該加熱処理後の粗バーを仕上圧延機にて仕上圧延することにより、幅方向形状の優れた品質の高い熱間鋼帯を製造することが可能になる。
【００１７】
更に又、粗バーの幅方向へのシフトを、該粗バーの幅方向の温度分布に基づいて行うようにする方法及び装置とすると、加熱装置に供給するときの粗バーの幅方向位置を、粗バーの幅方向の温度分布の検出結果に基づいて、上記加熱装置の加熱特性等を考慮して、該加熱装置における加熱処理を行うことで加熱処理後の粗バーの幅方向における温度分布を均一にすることができるようにするための左右方向の最適位置に調整することができ、このため、加熱装置による加熱処理により、幅方向に均一に加熱された粗バーを得ることができるため、該加熱処理後の粗バーを仕上圧延することにより、幅方向形状の優れた品質の高い熱間鋼帯を製造することが可能になる。
【００１８】
上記において、粗バーの左右のサイドエッジに温度差がある場合に、該温度差がなくなるように加熱装置のヒータ部の位置に応じて該粗バーを幅方向にシフトさせるようにすることにより、粗バーの左右のサイドエッジ部に温度差が生じている場合であっても、上記粗バーの左右のサイドエッジ部を加熱装置のヒータ部にて加熱させることで、左右のサイドエッジ部の温度差を解消できるような幅方向の最適位置にシフトさせてから加熱処理を行わせることができるため、左右のサイドエッジ部の温度差が解消されるよう加熱処理された粗バーを得ることができ、このため該加熱処理後の粗バーを幅方向に均一に仕上圧延することが可能になる。
【００１９】
更に又、サイドシフト装置の上流側に、粗バーのサイドエッジ位置を検出するエッジセンサーと、前記粗バーの幅方向の温度分布を検出する温度分布センサーとを設け、且つ制御器を、上記エッジセンサー及び温度分布センサーの検出結果に基づいて前記サイドシフト装置の駆動を制御するものとした構成とすることにより、粗バーのサイドエッジ位置の検出結果に、幅方向の温度分布の検出結果を基にした補正を加えて、加熱装置にて加熱する上記粗バーの幅方向位置を調整できるため、粗バーの幅方向位置を、上記加熱装置の加熱特性等を考慮した左右方向の最適位置に更に精度よく調整できることから、加熱装置により加熱処理後に得られる粗バーの温度の更なる均一化を図ることができる。
【００２０】
【発明の実施の形態】
以下、本発明の実施の形態を図面を参照して説明する。
【００２１】
図１乃至図４は本発明の熱間粗バーのサイドポジション制御方法及び装置の実施の一形態を示すもので、図１３（イ）（ロ）に示したと同様に、粗圧延機２の下流側に、ホットレベラー４と、加熱装置としてのバーヒータ５及びエッジヒーター６と、仕上圧延機７とを順に備えた熱間圧延設備における上記バーヒータ５の入口側とエッジヒータ６の入口側のそれぞれ又は一方に、ピンチロール式サイドシフト装置１３を設け、該ピンチロール式サイドシフト装置１３の上下のピンチロール１４，１５により粗バー３を上下方向より挟むと共に、該上下のピンチロール１４，１５を軸方向（左右方向）へ同時にシフトさせることにより、該ピンチロール１４，１５の間に挟持される粗バー３を、ピンチロール１４，１５と一緒に粗バー３の幅方向（左右方向）へシフトさせることができるようにする。
【００２２】
詳述すると、上記ピンチロール式サイドシフト装置１３は、図１及び図２に示す如く、粗バー３を挟むように上側と下側に、粗バー３の幅寸法よりも長くしてある上下一対の上ピンチロール１４と下ピンチロール１５を平行に配置してあり、ベース１６上に支持フレーム２２を熱間圧延ラインを挟む粗バー３の幅方向両側位置に配置し、又、上記ベース１６の上面部に左右方向に延びるガイド溝１８を備えたガイド部材１７を設置すると共に、該各ガイド部材１７のガイド溝１８に下端部をスライド自在に嵌合させた左右の下部軸箱１９ａ，１９ｂに、上記下ピンチロール１５の両端部軸心位置の回転軸２０をそれぞれ回転自在に支持させて、該下ピンチロール１５を、上記左右の各下部軸箱１９ａ，１９ｂと一緒に左右方向へスライドできるようにしてある。
【００２３】
又、上記左右のガイド部材１７の上方となる所要高さ位置に、上ピンチロール押圧用シリンダ２１をそれぞれ下向きに配置して、たとえば、図２に一例として示す如く、ベース１６上に固定した支持フレーム２２に該各上ピンチロール押圧用シリンダ２１を下向きに支持させ、且つ上記各上ピンチロール押圧用シリンダ２１のピストンロッド２１ａの下端部（先端部）に、底面部に左右方向に延びるあり溝状のガイド溝２４を設けてなる左右のガイド部材２３の上端部をそれぞれ一体に取り付け、該左右の各ガイド部材２３のガイド溝２４に、左右の上部軸箱２５ａ，２５ｂを、上端部に突設してあるあり状の係合突部２６を介してそれぞれスライド自在に嵌合させると共に、該左右の上部軸箱２５ａ，２５ｂに、上記上ピンチロール１４の両端部軸心位置の回転軸２７をそれぞれ回転自在に支持させて、上ピンチロール１４を、上記左右の各上部軸箱２５ａ，２５ｂと一緒に左右方向へスライドできるようにし、上記左右の上ピンチロール押圧用シリンダ２１のピストンロッド２１ａの同期した伸縮作動により、ガイド部材２３を介して上部軸箱２５ａ，２５ｂと一緒に上記上ピンチロール１４を上下方向、すなわち、下部ロール１５に対し近接、離反する方向へ移動させることができるようにしてある。これにより、上記上ピンチロール押圧用シリンダ２１にて上ピンチロール１４を押し下げて上下ピンチロール１４，１５間の間隔を粗バー３の板厚分より若干狭く設定しておくことにより、ホットレベラー４で平坦度矯正された粗バー３が、上記上ピンチロール１４を上ピンチロール押圧用シリンダ２１の押し付け力に抗して上方へ押しのけるようにして上下のピンチロール１４，１５間に進入するようになって、粗バー３を上下のピンチロール１４，１５間にて所要圧力で挟めるようにしてあり、したがって、後述するサイドシフトシリンダ２８の伸縮駆動により上記上下ピンチロール１４，１５を左右方向へ同時にシフトさせる際に、該ピンチロール１４と１５の間に挟まれた粗バー３を左右方向へ一緒に移動させることができるようにしてある。
【００２４】
更に、上下ピンチロール１４，１５の一端側に位置する上部軸箱２５ａと下部軸箱１９ａの外側には、係合突部３２と３３を設けて、該係合突部３２と３３を上下方向にスライドできるようガイドするガイド溝３１を備えたガイド部材３０を、基礎上又は支持フレーム２２に取り付けた支持部材２９上の油圧シリンダ等のサイドシフトシリンダ２８に、該ピストンロッド２８ａを介し連結して、上記サイドシフトシリンダ２８のピストンロッド２８ａの伸縮駆動で、ガイド部材３０を介し上下のピンチロール１４，１５を同時に左右方向へシフトさせることができるようにしてある。この際、上ピンチロール１４と下ピンチロール１５の近接、離反方向への相対変位は、上記係合突部３２及び３３を、ガイド部材３０のガイド溝３１に沿わせて上下方向にスライドさせることにより許容できるようになる。
【００２５】
上記上ピンチロール１４の回転軸２７の他端側は、対応する軸箱２５ｂよりも外側へ突出させると共に、該回転軸２７の突出端部に、スプライン構造により伸縮可能としてある動力伝達軸３４の一端部を自在継手３５を介し接続し、同様に、下ピンチロール１５の回転軸２０の他端側は、対応する軸箱１９ｂよりも外側へ突出させると共に、該回転軸２０の突出端部に、上記と同様の伸縮可能な動力伝達軸３６の一端部を自在継手３７を介し接続し、更に、上記各動力伝達軸３４と３６の他端部に、減速機３８に同回転数で対向方向に回転できるよう設けてある２つの出力軸３９ａと３９ｂを、自在継手４０及び４１を介しそれぞれ個別に接続し、更に、上記減速機３８にモータ４２を取り付けて、上記モータ４２の回転駆動力を、減速機３８の出力軸３９ａより自在継手３５，４０及び動力伝達軸３４を介し上ピンチロール１４の回転軸２７へ伝達すると同時に、上記減速機３８の出力軸３９ｂより自在継手３７，４１及び動力伝達軸３６を介し下ピンチロール１５の回転軸２０へ伝達することにより、上記上ピンチロール１４と下ピンチロール１５とを、回転させて上下ピンチロール１４，１５間で粗バー３をつかみ且つ粗バー３の送りを許容するようにする。そのために、各ピンチロール１４及び１５の周速を、粗バー３の送り速度と一致するようにして回転させることができるようにしてある。上記上下ピンチロール１４と１５を左右方向へシフトさせるときは、スプライン構造としてある各動力伝達軸３４と３６がそれぞれ伸縮するようにしてある。又、上ピンチロール１４を上下方向に変位させると、該上ピンチロール１４の回転軸２７と、対応する減速機３８の出力軸３９ａとは上下方向に相対変位することになるが、この場合は、自在継手３５により上ピンチロール１４の回転軸２７と動力伝達軸３４との角度変更を許容させると同時に、自在継手４０により上記動力伝達軸３４と減速機３８の出力軸３９ａとの角度変更を許容させ、更に、上記動力伝達軸３４の伸縮により、上ピンチロール１４の回転軸２７と減速機３８の出力軸３９ａとの間隔を自在に変化させることによって対応できるようにしてある。
【００２６】
次に、図３及び図４は上記ピンチロール式サイドシフト装置１３の実施要領と制御機構を示すもので、上記ピンチロール式のサイドシフト装置１３を、バーヒータ５とエッジヒータ６の各入口側又は一方の入り口側に設置して、該各サイドシフト装置１３の上流側における粗バー３の上方位置に、下方を通過して上記サイドシフト装置１３に進入する粗バー３のサイドエッジの位置を、たとえば、ＣＣＤカメラ４４で監視することにより常に検出できるようにしたエッジセンサー４３を設置し、該エッジセンサー４３によって検出される粗バー３のサイドエッジ位置の検出結果に基づいて、上記サイドシフト装置１３のサイドシフトシリンダ２８へ伸縮指令を与えるための制御器４５を設けた構成とする。
【００２７】
上記制御器４５は、バーヒータ５及びエッジヒータ６で粗バー３を加熱するときの幅方向の最適位置として、たとえば、エッジセンサー４３により検出される粗バー３の左右のサイドエッジ位置の中央を、上記バーヒータ５やエッジヒータ６の中心線と一致させるようにしたり、あるいは、左右いずれか一方のサイドエッジ位置が常に一直線上に保持させるようにする等、上記バーヒータ５やエッジヒータ６のそれぞれの加熱特性等を考慮して、該各バーヒータ５やエッジヒータ６にて加熱することによって粗バー３の幅方向における温度分布を左右方向で均等にすることができるような位置として粗バー３の幅方向の最適位置を設定し、この設定された最適位置に対して上記エッジセンサー４３にて検出された粗バー３の位置がずれている場合には、両者が一致するようサイドシフトシリンダ２８へ指令を与えて、粗バー３の幅方向位置を調整するようにしてある。
【００２８】
４６はピンチロール式サイドシフト装置における左右のフレーム２２を連結して該各フレーム２２同士を所要間隔で固定するための連結部材、４７は左右のガイド部材２３同士を連結して該各ガイド部材２３同士の相対位置を固定するための連結部材である。その他、図１１（イ）（ロ）に示したものと同一のものには同一符号が付してある。
【００２９】
上記構成としてある本発明の熱間粗バーのサイドポジションコントロール装置を設けた熱間圧延設備において熱間鋼帯８を製造する場合は、バーヒータ５とエッジヒータ６の上流側にそれぞれ設けてある各ピンチロール式サイドシフト装置１３のモータ４２を駆動させて、該各サイドシフト装置１３にて上ピンチロール１４及び下ピンチロール１５を、周速が粗バー３の送り速度と一致するよう同期して回転駆動させるようにしておく。
【００３０】
この状態において、従来と同様に、先ず、スラブ１を粗圧延機２にて粗圧延して粗バー３とした後、ホットレベラー４にて上記粗バー３の平坦度を矯正させる。その後、上記平坦度の矯正された粗バー３を、バーヒータ５で加熱するときに、上記粗バー３がバーヒータ５の上流側に設けてあるエッジセンサー４３の下方を通過する時点で該エッジセンサー４３にて上記粗バー３のサイドエッジの位置が検出され、その信号が制御器４５に入力される。サイドシフト装置１３の上下のピンチロール１４と１５の間に挟まれた粗バー３は、上記エッジセンサー４３によるサイドエッジ位置の検出結果に基づき制御器４５よりサイドシフトシリンダ２８へ送られる駆動指令によりサイドシフトされ、粗バー３の幅方向が最適位置に一致させられるようになる。
【００３１】
これにより、エッジセンサー４３により検出された粗バー３のサイドエッジ位置が、粗バー３をバーヒータ５へ進入させるときに所望される最適位置よりずれている場合には、上記粗バー３の最適位置からのずれが検出されたサイドエッジ部分がサイドシフト装置１３の上下のピンチロール１４と１５の間に挟まれたときに、サイドシフトシリンダ２８が伸縮作動させられて、上記上下のピンチロール１４と１５が同時に左右方向へシフトされることに伴って、上記粗バー３が上記上下のピンチロール１４と１５に挟まれた状態で一緒に左右方向へシフトさせられる。このため上記粗バー３の幅方向位置が、バーヒータ５へ進入させるときの最適位置となるように調整される。したがって、上記サイドシフト装置１３を通過した粗バー３は、その後、バーヒータ５に対し幅方向位置が最適位置となった状態で進入させられて、該バーヒータ５における加熱処理が行われるようになる。
【００３２】
上記バーヒータ５にて加熱処理された粗バー３は、次にエッジヒータ６へ送られるときに、該エッジヒータ６の入口側にて、上記バーヒータ５の場合と同様に、上記粗バー３がエッジヒータ６の上流側に設けてあるエッジセンサー４３の下方を通過する時点で該エッジセンサー４３にて上記粗バー３のサイドエッジの位置が検出されてその信号が制御器４５へ入力される。
【００３３】
これにより、上記エッジセンサー４３によりサイドエッジ位置の検出された粗バー３の幅方向位置が、粗バー３をエッジヒータ６へ進入させるときに所望される最適位置よりずれている場合には、上記粗バー３の最適位置からのずれが検出されたサイドエッジ部分がサイドシフト装置１３の上下のピンチロール１４と１５の間に挟まれた配置となるときに、制御器４５からの指令により上記サイドシフトシリンダ２８が伸縮駆動させられて、上記上下のピンチロール１４と１５とともに左右方向へシフトされるため、上記粗バー３の幅方向位置は、エッジヒータ６へ進入させるときの最適位置と一致するように調整される。したがって、上記サイドシフト装置１３を通過した後、粗バー３は、エッジヒータ６に対し幅方向位置が最適位置となる状態で進入させられて、該エッジヒータ６における加熱処理が行われるようになる。
【００３４】
上記バーヒータ５及びエッジヒータ６に、それぞれの最適位置で供給されて加熱処理された後の粗バー３は、従来と同様に仕上圧延機７で仕上圧延が行われて熱間鋼帯を形成させるようにする。
【００３５】
このように、本発明によれば、仕上圧延機７で仕上圧延を行なわせるための粗バー３を加熱すべくバーヒータ５やエッジヒータ６へ供給するときに、該粗バー３の幅方向位置を、上記バーヒータ５やエッジヒータ６へ供給するときに所望される左右方向の最適位置に一致させることができるため、上記バーヒータ５及びエッジヒータ６にてそれぞれ加熱処理を行わせることにより、該粗バー３を幅方向に均一に加熱することができ、したがって、該粗バー３の幅方向における変形抵抗の偏りをなくすことができることから、仕上圧延機７にて粗バー３を幅方向に均一に仕上圧延できて、幅方向形状の優れた品質の高い熱間鋼帯を製造することが可能になる。
【００３６】
又、上記粗バー３の幅方向位置の調整は、周速が上記粗バー３の送り速度と一致するよう回転駆動させた上下のピンチロール１４と１５により上下方向より挟むと共に、該上下のピンチロール１４と１５の左右方向へのシフトに伴って上記粗バー３を幅方向に移動させて行うため、上記粗バー３の幅方向両端部のサイドエッジの端面に、上ピンチロール１４や下ピンチロール１５が接触することはなく、したがって、上記粗バー３のサイドエッジ部に、盛り上がり変形、めくれ、ばり等が発生するおそれをなくして上記サイドエッジ部の傷付きを防止できるため、幅方向の形状及び精度が優れた熱間鋼帯８を、歩留まりよく製造することができる。
【００３７】
なお、上記においては、バーヒータ５とエッジヒータ６を上流側より順に備えた熱間圧延設備における上記バーヒータ５とエッジヒータ６の上流側位置に、それぞれサイドシフト装置１３及びエッジセンサー４３を設置したものとして示したが、上流側より順にエッジヒータ６とバーヒータ５を備えた熱間圧延設備にて、上記エッジヒータ６とバーヒータ５の上流側位置に、それぞれサイドシフト装置１３とエッジセンサー４３とを設置してもよい。更に、上記いずれの熱間圧延設備において、バーヒータ５又はエッジヒータ６のいずれか一方の上流側位置にのみ、サイドシフト装置１３とエッジセンサー４３とを設けるようにしてもよい。
【００３８】
次に、図５（イ）（ロ）及び図６は本発明の実施の他の形態を示すもので、図１乃至図４に示した実施の形態と同様の構成において、バーヒータ５及びエッジヒータ６の上流側に、ピンチロール式のサイドシフト装置１３をそれぞれ設けることに代えて、ロール端部に段差部５１を有する搬送用の複数（図では２本）の段付ロール４９と５０を、段差部５１が互に反対側となるよう熱間圧延ライン方向へ並べて設置して、該段付ロール４９と５０上を粗バー３が送られるようにし、且つ該段付ロール４９と５０の段差部５１にて粗バー３の幅方向端部のサイドエッジ部をガイドさせると共に、上記段付ロール４９と５０の両方又は片方をシフトさせるようにして、粗バー３を段付ロール４９，５０の各段差部５１で左右方向から押すことにより該粗バー３を幅方向にシフトさせて幅方向位置を調整できるようにした段付ロール方式のサイドシフト装置４８をそれぞれ設けたものである。
【００３９】
詳述すると、上記段付ロール式サイドシフト装置４８は、図５（イ）（ロ）に示す如く、粗バー３の搬送ラインの下方位置に、粗バー３の幅方向（左右方向）に延びる支持架台５２を設けて、該支持架台５２の上面に、左右方向に延びる２組のガイドレール５３と５４を熱間圧延ライン方向の前後に所要間隔を隔てて配設し、一方のガイドレール５３上に、所要間隔を隔てて配置した左右の軸箱５５ａと５５ｂの下端部をそれぞれスライド可能に取り付け、該左右の軸箱５５ａと５５ｂの間に、粗バー３を支持することができ且つ長手方向の一端部（図５（イ）では左端部）を所要寸法拡径させて段差部５１を形成してなる第一の段付ロール４９を配置して、該段付ロール４９の両端部軸心位置の回転軸５７を、上記左右の軸箱５５ａと５５ｂにそれぞれ回転自在に支持させると共に、上記支持架台５２上における一方の軸箱５５ａに、その外方位置に設置したサイドシフト用シリンダ５８のピストンロッド５８ａを連結して、上記サイドシフト用シリンダ５８のピストンロッド５８ａの伸縮駆動により、左右の各軸箱５５ａ，５５ｂと一緒に上記段付ロール４９を左右方向へシフトさせることができるようにしてある。
【００４０】
又、他方のガイドレール５４上に、所要間隔を隔てて配置した左右の軸箱５６ａと５６ｂの下端部をそれぞれスライド可能に取り付け、該左右の軸箱５６ａと５６ｂの間に、粗バー３を支持することができ且つ他端部（図５（イ）では右端部）を所要寸法拡径させて段差部５１を形成してなる第二の段付ロール５０を配置して、該段付ロール５０の両端部軸心位置に設けた回転軸５９を、上記左右の軸箱５６ａと５６ｂにそれぞれ回転自在に支持させると共に、上記支持架台５２上における一方の軸箱５６ａに、その外方位置に設置したサイドシフト用シリンダ６０のピストンロッド６０ａを連結して、上記サイドシフト用シリンダ６０のピストンロッド６０ａの伸縮駆動により、各軸箱５６ａ，５６ｂと一緒に段付ロール５０を、上記段付ロール４９と同様に左右方向へシフトさせることができるようにしてある。
【００４１】
更に、上記各段付ロール４９及び５０の他方の回転軸５７及び５９は、対応する他方の軸箱５５ｂ及び５６ｂよりも外方へ突出させ、該各回転軸５７と５９の突出端部に、スプライン構造により伸縮可能とした個別の動力伝達軸６３及び６４の一端部をそれぞれ連結すると共に、該各動力伝達軸６３及び６４の他端部を、減速機６１に互いに同方向に同期して回転できるように設けてある２つの出力軸６２ａ及び６２ｂにそれぞれ個別に取り付け、且つ上記減速機６１にモータ６５を連結して、上記モータ６５の回転駆動力を、減速機６１で減速し、動力伝達軸６３，６４を介し段付ロール４９，５０の回転軸５７，５９へ伝達することにより、上記各段付ロール４９と５０を粗バー３の送り速度と一致する周速で回転駆動させることができるようにしてある。
【００４２】
更に、図１乃至図４の実施の形態における制御器４５に代えて制御器６６を設け、上記段付ロール式サイドシフト装置４８の上流側に設けたエッジセンサー４３により粗バー３の幅方向両端のサイドエッジ位置を検出すると、その値が制御器６６に入力されるようにしてあって、検出結果に基づいて、該サイドエッジ位置の検出された部分が上記各段付ロール４９，５０の位置まで進行したときに、サイドシフト用シリンダ５８と６０により対応する段付ロール４９と５０の左右方向の位置を個別に調整することにより、各段付ロール４９と５０の段差部５１を左右方向へシフトさせ、該各段差部５１の左右方向へのシフトに伴って各段差部５１の間に常にガイドされるようにしてある粗バー３を上記各段差部５１にて左右方向から押して幅方向へシフトさせるようにしてある。したがって、上記サイドエッジ位置の検出結果より導かれる上記粗バー３の幅方向位置が、バーヒータ５あるいはエッジヒータ６へ粗バー３を供給するときに所望される最適位置よりずれている場合には、ずれている側に段差部５１を有する方の段付ロール４９又は５０と対応するサイドシフト用シリンダ５８又は６０へ制御器６６より伸縮駆動指令を与えて、上記段付ロール４９又は５０を、粗バー３側へシフトさせることで、該段付ロール４９又は５０の段差部５１によりずれを是正する方向へ粗バー３を押して幅方向へシフトさせることができるようにしてある。その他の構成は図１乃至図４に示したものと同様であり、同一のものには同一符号が付してある。
【００４３】
本実施の形態の熱間粗バーのサイドポジションコントロール装置を設けた熱間圧延設備において熱間鋼帯８を製造する場合は、各段付ロール式サイドシフト装置４８のモータ６５を駆動させて、該各サイドシフト装置４８の各段付ロール４９及び５０を、粗バー３の送り方向へ、周速が粗バー３の送り速度と一致するよう回転駆動させると共に、各段付ロール４９，５０の段差部５１を、それぞれ粗バー３のサイドエッジ部と１００ｍｍ程度のクリアランスを保持した状態に待機させるようにしておく。
【００４４】
この状態において、スラブ１を粗圧延機２にて粗圧延した粗バー３を、ホットレベラー４にて平坦度を矯正させた後、該平坦度の矯正された粗バー４を、加熱すべくバーヒータ５へ供給させると、上記実施の形態と同様に、上記粗バー３がバーヒータ５の上流側に設けてあるエッジセンサー４３の下方を通過する時点で該エッジセンサー４３にて上記粗バー３のサイドエッジ位置が検出され、これにより、上記サイドシフト装置４８における各段付ロール４９と５０の段差部５１の位置が、上記サイドエッジ部の検出が行なわれた粗バー３の幅寸法に対応して調整されることから、上記エッジセンサー４３の下方を通過した粗バー３は、サイドシフト装置４８に進入して各段付ロール４９と５０の段差部５１同士の間に受け入れられて、幅方向両端部のサイドエッジ部がガイドされるようになる。
【００４５】
この際、上記エッジセンサー４３によるサイドエッジ位置の検出結果に基づく粗バー３の幅方向位置が、粗バー３をバーヒータ５へ進入させるときに所望される最適位置よりずれている場合には、制御器６６からの指令により、各サイドシフト用シリンダ５８及び６０が同期して適宜伸縮駆動させられて、上記各段付ロール４９と５０がシフトさせられ、これにより、各段付ロール４９と５０の段差部５１によりサイドエッジ部が押されることによって上記粗バー３はずれが是正される方向へシフトさせられて、幅方向位置が上記最適位置に一致するよう調整される。この際、上記各段付ロール４９と５０が共に周速が粗バー３の送り速度と一致するよう回転駆動されていることに伴って、各段付ロール４９及び５０の段差部５１における粗バー３と接触する部分は、粗バー３の送り方向に該粗バー３の送り速度とほぼ等しい速度で移動しているため、段差部５１との接触により粗バー３のサイドエッジ部が傷付くことは防止される。
【００４６】
上記段付ロール式サイドシフト装置４８を通過した後の粗バー３は、幅方向位置が最適位置に調整された状態にてバーヒータ５に対し供給されて、該バーヒータ５における加熱処理が行われるようになる。
【００４７】
上記バーヒータ５による加熱処理が行われた粗バー３は、次に、エッジヒータ６へ送られ、この際、エッジヒータ６の上流側に設けてあるエッジセンサー４３によるサイドエッジ位置の検出結果に基づいて、上記バーヒータ５の上流側のサイドシフト装置４８の場合と同様に、サイドシフト装置４８が作動させられることによって、粗バー３のエッジヒータ６へ供給されるときの幅方向位置が、最適位置に是正された後、該粗バー３のエッジヒータ６への供給が行なわれて、該エッジヒータ６における加熱処理が行われるようになる。
【００４８】
したがって、本実施の形態によっても、上記実施の形態と同様に、バーヒータ５やエッジヒータ６に対し、粗バー３の幅方向位置を最適位置に是正してから供給することができることから、バーヒータ５及びエッジヒータ６にてそれぞれ加熱処理を行わせることにより、粗バー３を幅方向に均一に加熱することができて、該粗バー３を仕上圧延機７で仕上圧延することで、品質の高い熱間鋼帯を製造することができ、しかも、上記粗バー３の幅方向位置を是正する場合にも、サイドエッジ部に、盛り上がり変形、めくれ、ばり等が発生するおそれをなくして上記サイドエッジ部の傷付きを防止できるため、幅方向の形状及び精度が優れた熱間鋼帯８を、歩留まりよく製造することができる。
【００４９】
次いで、図７乃至図９は本発明の実施の更に他の形態を示すもので、図１乃至図４に示したと同様に粗圧延機２の下流側に、ホットレベラー４と、加熱装置としてのバーヒータ５及びエッジヒーター６と、仕上圧延機７とを順に備えた熱間圧延設備における上記エッジヒータ６の上流側に、図１及び図２に示したと同様のピンチロール式サイドシフト装置１３を設けると共に、該サイドシフト装置１３の上流側における上方位置に、粗圧延機２から送られて来る粗バー３の幅方向の温度分布を検出するための温度分布センサー６７として、たとえば、サーモグラフィ等の温度分布センサー６７を設け、更に、該温度分布センサー６７により検出される粗バー３の幅方向の温度分布の検出結果に基づいて、上記サイドシフト装置１３のサイドシフトシリンダ２８（図１参照）へ駆動指令を与える制御器６８を設けたものである。
【００５０】
ここで、上記制御器６８によるサイドシフト装置１３のサイドシフトシリンダ２８の伸縮駆動により粗バー３の幅方向位置を制御することについて説明する。
【００５１】
スラブ１を粗圧延機２にて粗圧延されて誘導加熱処理前の粗バー３は、図８（イ）に実線で示す如く、一般に、サイドエッジ部の温度が低く、更に、▲１▼加熱炉にてスラブの昇温を行わせるときに加熱状態のばらつきがあること、▲２▼粗圧延機における冷却水の排水が左右方向で均一ではないために粗圧延された粗バー３の左右に温度差が生じることがあること、▲３▼デスケーリング水の排水が左右均一でないために粗バー３の左右に温度差が生じることがあること、等に起因して、温度の低下の度合が左右のサイドエッジ部で異なることがある（図では左側のサイドエッジ部の方が幅広く温度低下した状態を示す）。
【００５２】
粗バー３のサイドエッジ部分の温度が低いことに関しては、加熱装置の１つとしてエッジヒータ６を設けて、該エッジヒータ６にて粗バー３の幅方向両端部のサイドエッジ部分のみを加熱することで対処するようにしているのであるが、上述したように粗バー３の左右のサイドエッジ部分に温度の低下度合の差異が生じている場合には、粗バー３をエッジヒータ６へ供給するときに、該粗バー３の幅方向位置を、幅方向の中心が、エッジヒータ６の中心線と一致するように調整したのでは、左右のサイドエッジ部分に均等に入熱が行なわれて、左右のサイドエッジ部の昇温温度が等しくなるため、左右のサイドエッジ部における温度差を解消させることはできない。
【００５３】
そこで、粗バー３のサイドエッジ部をエッジヒータ６により加熱するときに、サイドエッジ部とエッジヒータ６とのラップ量（重なり量）を変化させて、上記粗バー３のサイドエッジ部における昇温の度合を調べたところ、図９に、ラップ量を大（線ａ）、中（線ｂ）、小（線ｃ）と変化させた場合の、粗バー３のサイドエッジ部における端部からの距離と、昇温温度との関係のグラフを示す如き知見が得られ、このことから、温度の低いサイドエッジ部を幅広く加熱するためには、エッジヒータ６とのラップ量を大きくすればよいことが判明した。又、この際、昇温温度の絶対量を増加させるためには誘導加熱装置であるエッジヒータ６への印加電力を大きくすればよいことも判明した。
【００５４】
この結果を鑑みて、上記制御器６８は、上記温度分布センサー６９による粗バー３の幅方向温度分布の検出結果に基づいて、左右のサイドエッジ部で温度に相違が生じている場合、たとえば、図８（イ）に実線で示す如く、左側のサイドエッジ部の方が右側のサイドエッジ部に比して幅広く温度低下している場合には、該左右の各サイドエッジ部の温度を均等に上昇させて図８（イ）に破線で示す如き幅方向の温度分布が均一になるような目的温度とさせるため、すなわち、粗バー３の幅方向の中心を基準としたときの幅方向における相対温度差を解消できるようにするために、上記粗バー３の左右の各サイドエッジ部に関して必要とされる昇温温度を求め、この場合、左側のサイドエッジ部では図８（イ）に一点鎖線で示す如き昇温温度が要求され、一方右側のサイドエッジ部では、図８（イ）に二点鎖線で示す如き昇温温度が要求されることから、これらの昇温温度を得るために必要なサイドエッジ部とエッジヒータ６とのラップ量を図９に示したグラフより適宜選択し、図８（ロ）に示す如く、上記選択されたラップ量を得るためのエッジヒータ６に対する粗バー３のサイドエッジの相対位置を求めて、求められた位置を基準として、該基準位置、たとえば、粗バー３の左側サイドエッジ位置を基準位置Ｏに、粗バー３のサイドエッジ位置を常に一致させることができるようサイドシフト装置１３のサイドシフトシリンダ２８へ適宜駆動指令を与えて、該サイドシフト装置１３により粗バー３の幅方向位置を調整させるようにしてある。
【００５５】
その他の構成は図１乃至図４に示したものと同様であり、同一のものには同一符号が付してある。
【００５６】
本実施の形態によれば、粗圧延機２にて形成された粗バー３は、ホットレベラー４にて平坦度が矯正された後、バーヒータ５へ供給されて幅方向及び長手方向の全体に亘り加熱され、その後、サイドエッジ部の加熱を行うべくエッジヒータ６へ送られる。この際、該エッジヒータ６の上流側にて上記エッジヒータ６へ進入する粗バー３の幅方向の温度分布を温度分布センサー６７により検出させ、その検出結果に基づいて制御器６８よりサイドシフト装置１３のサイドシフトシリンダ２８へ指令を与えて該サイドシフトシリンダ２８を適宜伸縮駆動させる。更に、この際、エッジヒータ６における印加電力を、粗バー３のサイドエッジ部を均等に加熱するために所望される昇温温度の絶対量に対応させて制御するようにしてもよい。
【００５７】
これにより、上記サイドシフト装置１３において、粗バー３の幅方向位置は、該粗バー３をエッジヒータ６にて加熱処理させることにより加熱後の粗バー３の左右のサイドエッジ部の温度差を解消できるような最適位置に調整することができ、その後、該幅方向位置が最適位置に調整された粗バー３がエッジヒータ６へ進入させられて該エッジヒータ６による加熱処理が行われるようになることから、加熱処理後の粗バー３は左右のサイドエッジ部の温度分布を均等にすることができる。したがって、該加熱処理後の粗バー３を仕上圧延機７へ供給して仕上圧延させると、幅方向に偏りを生じさせることなく左右均等に仕上圧延できて、幅方向の形状及び精度が優れた品質の高い熱間鋼帯８を製造することができる。
【００５８】
なお、本発明は上記実施の形態のみに限定されるものではなく、粗圧延機３と仕上圧延機７との間に、上流側よりエッジヒータ６とバーヒータ５の順序で加熱装置を備えた熱間圧延設備にも採用でき、又、図１乃至図４の実施の形態、及び、図５（イ）（ロ）及び図６の実施の形態におけるピンチロール式又は段付ロール式のサイドシフト装置１３又は４８と、その上流側に設けるエッジセンサー４３の組み合わせは、バーヒータ５とエッジヒータ６のいずれか一方の上流側にのみ設けるようにしてもよいこと、図７乃至図９の実施の形態の段付ロール式サイドシフト装置１３と、その上流側の温度分布センサー６７との組み合わせは、エッジヒータ６よりも上流側に上記サイドシフト装置１３があり、更に該サイドシフト装置１３の上流側に温度分布センサー６７が配置してあれば、両者をバーヒータ５の上流側に設けたり、温度分布センサー６７を粗圧延機２の直後位置に配置して、上記サイドシフト装置１３はエッジヒータ６の直前位置に設ける等、配置位置を変更してもよいこと、図１０に示す如く、図５（イ）（ロ）及び図６に示した実施の形態におけるエッジヒータ６の入口側に設けてある段付ロール式サイドシフト装置４８の上流側位置に、エッジセンサー４３に代えて図７乃至図９の実施の形態に示したと同様な温度分布センサー６７を設け、該温度分布センサー６９にて検出される粗バー３の幅方向の温度分布に基づいて、制御器６８´からの指令により、上記エッジヒータ６へ供給するときの粗バー３の幅方向位置が、該エッジヒータ６にて粗バー３を加熱処理することで、左右のサイドエッジ部の温度差を解消できるような最適位置になるよう上記段付ロール式サイドシフト装置４８による粗バー３の幅方向位置の調整を行わせるようにしてもよいこと、更には、図１１に示す如く、図１乃至図４の実施の形態、又は、図５（イ）（ロ）及び図６の実施の形態におけるエッジヒータ６よりも上流側位置に設けてあるエッジセンサー４３に、図７乃至図９の実施の形態に示したと同様な温度分布センサー６７を併設して（図では図１乃至図４の実施の形態に適用した場合を示してある）、該温度分布センサー６７により検出される粗バー３の幅方向温度分布の情報により、制御器４５又は６６より上記エッジセンサー４３の検出結果に基づいてエッジヒータ６の上流側のサイドシフト装置１３又は４８へ与える駆動指令に補正を加えるようにしてもよく、この場合、粗バー３の幅方向位置を左右方向の最適位置へ更に精度よく適合させることが可能になることから、エッジヒータ６による加熱処理後の粗バー３温度の更なる均一化を図ることができること、図１乃至図４の実施の形態、及び、図７乃至図９の実施の形態におけるピンチロール式サイドシフト装置１３では、ピンチロール１４と１５の間に挟んだ粗バー３の幅方向位置を、上流側に設けたエッジセンサー４３又は温度分布センサー６９の検出結果に基づいて、上記上下ピンチロール１４と１５を左右方向への速やかにシフトさせて該ピンチロール１４と１５の間に挟んだ粗バー３の幅方向位置を調整できれば、サイドシフトシリンダ２８は、油圧以外の形式であってもよく、更には、該ピンチロール１４と１５の左右方向への移動を行なわせるサイ���シフト用駆動装置としては、サイドシフトシリンダ２８以外のいかなる駆動機構のものも採用できること、又、上下ピンチロール１４と１５を、粗バー３の送り方向となる対向方向に、周速が粗バー３の移送速度と一致するように同期させて回転駆動できれば、上記ピンチロール１４と１５に等速で反対方向に回転するモータを個別に接続するようにしてもよいこと、更に、上下のピンチロール１４と１５の間に進入する粗バー３を該上下のピンチロール１４と１５にて所要圧力で挟むことができれば、ピンチロール１４と１５の間に押し付け力を作用させる機構としては、上ピンチロール押圧用シリンダ２１以外のいかなる機構を採用してもよいこと、図５（イ）（ロ）及び図６に示した実施の形態における段付ロール式サイドシフト装置４８は、各段付ロール４９及び５０を粗バー３の送り方向に２組以上備えるようにしてもよいこと、又、各段付ロール４９及び５０を、上流側のエッジセンサー４３の検出結果に基づいて速やかに左右方向へ移動させることができれば、サイドシフト用シリンダ５８，６０の駆動方式はいかなるものも採用でき、更には、サイドシフト用の駆動装置としてはシリンダ５８，６０以外にも、いかなる形式の駆動機構のものを採用してもよいこと、各段付ロール４９と５０を、周速が粗バー３の送り速度と一致するように同期して粗バー３の送り方向に回転駆動させることができれば、上記各段付ロール４９と５０に、同方向に等速で回転するモータを個別に接続するようにしてもよいこと、更に、２本の段差ロール４９，５０と用いた構成とすることに代えて、図１２に示す如く、長手方向両端部をそれぞれ所要寸法拡径させて両端部に段差部５１を形成してなる１本の段差ロール４９´を、サイドシフト用シリンダ５８にて左右方向へシフトさせることができるようにした構成としてなる段付ロール式サイドシフト装置４８ａを形成して、上記段差ロール４９´の左右方向へのシフトに伴って該段差ロール４９´の段差部５１により粗バー３を左右方向から押して幅方向にシフトさせるようにしてもよいこと、図１乃至図４の実施の形態、及び、図５（イ）（ロ）及び図６の実施の形態におけるエッジセンサー４３は、ＣＣＤカメラ４４を用いたものとして示したが、粗バー３のサイドエッジ位置を、該サイドエッジ部分に損傷等を生じさせることなく検出できれば、いかなる形式のものを採用してもよいこと、図７乃至図９の実施の形態における温度分布センサー６７は、粗バー３の幅方向の温度分布を検出できれば、サーモグラフィー以外のいかなる形式のものを用いてもよいこと、その他本発明の要旨を逸脱しない範囲内において種々変更を加え得ることは勿論である。
【００５９】
【発明の効果】
以上述べた如く、本発明によれば、以下の如き優れた効果を発揮する。
（１）  粗圧延機にて粗圧延された粗バーを、上下より挟んだまま幅方向にシフトさせて加熱装置に対するサイドポジションを制御する熱間粗バーのサイドポジション制御方法とし、具体的には上下のピンチロールにより粗バーを挟み、該ピンチロールとともに幅方向にシフトさせるようにする熱間粗バーのサイドポジション制御方法、及び、粗圧延機にて粗圧延された粗バーを上下より挟むための上下一対のピンチロールと、該ピンチロールを粗バーの幅方向と同方向に同時に駆動させるサイドシフト用駆動装置と、を有するサイドシフト装置と、該サイドシフト装置の駆動を制御する制御器と、を備える構成を有する熱間粗バーのサイドポジション制御装置としてあるので、加熱装置で加熱するための粗バーを、上下のピンチロールで挟んで幅方向位置をシフトさせることができ、この際、上記粗バーのサイドエッジの端面に上下のピンチロールが接触することはないため、上記粗バーのサイドエッジ部が傷付くおそれを防止できる。
（２）  粗圧延機にて粗圧延された粗バーを、左右方向から押すことにより幅方向にシフトさせて加熱装置に対するサイドポジションを制御する熱間粗バーのサイドポジション制御方法とし、具体的には端部に段差部を有する搬送用ロールを粗バーの幅方向にシフトさせることによって、該段差部により粗バーを左右方向から押して幅方向にシフトさせるようにする熱間粗バーのサイドポジション制御方法、及び、粗圧延機にて粗圧延された粗バーの下方に設けられ両端部に段差部を有する搬送用ロールと、該搬送用ロールを粗バーの幅方向に駆動させるサイドシフト用駆動装置を有するサイドシフト装置と、該サイドシフト装置の駆動を制御する制御器と、を備える構成、又は、粗圧延機にて粗圧延された粗バーの下方に設けられ左端部に段差部を有する第一の搬送用ロールと、前記粗バーの下方に設けられ右端部に段差部を有する第二の搬送用ロールと、該第一の搬送用ロール及び該第二の搬送用ロールを粗バーの幅方向に駆動させるサイドシフト用駆動装置と、を有するサイドシフト装置と、該サイドシフト装置の駆動を制御する制御器と、を備える構成を有する熱間粗バーのサイドポジション制御装置とすると、搬送用ロールの周速と粗バーの送り速度とを一致させながら、該搬送用ロールを粗バーの幅方向へ移動させるようにすることにより、搬送用ロールの段差部を、粗バーの送り方向へ粗バーの送り速度とほぼ一致した速度で移動させながら粗バーのサイドエッジ部に接触させて粗バーを左右方向へ押すことができるため、粗バーのサイドエッジ部が傷付くおそれを防止できる。
（３）  粗バーの幅方向へのシフトを、該粗バーのサイドエッジの位置信号に基づいて行うようにする方法及び装置とすることにより、サイドエッジ位置の検出結果に基づいて、粗バーの幅方向位置を調整できるため、加熱装置にて加熱する粗バーの幅方向位置を、該加熱装置の加熱特性等を考慮した左右方向の最適位置に調整することができ、更に、粗バーの幅寸法が不均一な場合であっても容易に対応して粗バーの幅方向位置を上記最適位置に調整することが可能となり、このため上記加熱装置により粗バーを幅方向に均一に加熱することができ、該加熱処理後の粗バーを仕上圧延機にて仕上圧延することにより、幅方向形状の優れた品質の高い熱間鋼帯を製造することが可能になる。
（４）  粗バーの幅方向へのシフトを、該粗バーの幅方向の温度分布に基づいて行うようにする方法及び装置とすると、加熱装置に供給するときの粗バーの幅方向位置を、粗バーの幅方向の温度分布の検出結果に基づいて、上記加熱装置の加熱特性等を考慮して、該加熱装置における加熱処理を行うことで加熱処理後の粗バーの幅方向における温度分布を均一にすることができるようにするための左右方向の最適位置に調整することができ、このため、加熱装置による加熱処理により、幅方向に均一に加熱された粗バーを得ることができるため、該加熱処理後の粗バーを仕上圧延することにより、幅方向形状の優れた品質の高い熱間鋼帯を製造することが可能になる。
（５）  粗バーの左右のサイドエッジに温度差がある場合に、該温度差がなくなるように加熱装置のヒータ部の位置に応じて該粗バーを幅方向にシフトさせるようにすることにより、粗バーの左右のサイドエッジ部に温度差が生じている場合であっても、上記粗バーの左右のサイドエッジ部を加熱装置のヒータ部にて加熱させることで、左右のサイドエッジ部の温度差を解消できるような幅方向の最適位置にシフトさせてから加熱処理を行わせることができるため、左右のサイドエッジ部の温度差が解消されるよう加熱処理された粗バーを得ることができ、このため該加熱処理後の粗バーを幅方向に均一に仕上圧延することが可能になる。
（６）  サイドシフト装置の上流側に、粗バーのサイドエッジ位置を検出するエッジセンサーと、前記粗バーの幅方向の温度分布を検出する温度分布センサーとを設け、且つ制御器を、上記エッジセンサー及び温度分布センサーの検出結果に基づいて前記サイドシフト装置の駆動を制御するものとした構成とすることにより、粗バーのサイドエッジ位置の検出結果に、幅方向の温度分布の検出結果を基にした補正を加えて、加熱装置にて加熱する上記粗バーの幅方向位置を調整できるため、粗バーの幅方向位置を、上記加熱装置の加熱特性等を考慮した左右方向の最適位置に更に精度よく調整できることから、加熱装置により加熱処理後に得られる粗バーの温度の更なる均一化を図ることができる。
【図面の簡単な説明】
【図１】本発明の熱間粗バーのサイドポジション制御方法及び装置の実施の一形態としてピンチロール式サイドシフト装置を示す一部切断概略正面図である。
【図２】図１のＡ−Ａ方向矢視図である。
【図３】図１のピンチロール式サイドシフト装置を採用した熱間圧延設備を示す概略側面図である。
【図４】図３の熱間圧延設備に設けるエッジセンサー部分を拡大して示す平面図である。
【図５】本発明の実施の他の形態として段付ロール式サイドシフト装置を示すもので、（イ）は概略平面図、（ロ）は概略切断側面図である。
【図６】図５の段付ロール式サイドシフト装置を採用した熱間圧延設備を示す概略図である。
【図７】本発明の実施の更に他の形態を示す概要図である。
【図８】図７の実施の形態における制御内容を示すもので、（イ）は粗バーの幅方向の温度分布の例を示す図、（ロ）は（イ）の温度分布を基に設定される粗バーの幅方向位置の最適位置を示す図である
【図９】粗バーのサイドエッジ部と、エッジヒータとのラップ量の変化させるときのサイドエッジ部の端部からの距離と昇温温度分布との関係を示す図である。
【図１０】本発明の実施の更に他の形態を示す概要図である。
【図１１】本発明の実施の更に他の形態を示す概要図である。
【図１２】本発明の実施の更に他の形態を示す概略平面図である。
【図１３】従来の熱間圧延設備の一例を示すもので、（イ）は概略側面図、（ロ）は加熱装置部分を拡大して示す平面図である。
【図１４】従来の熱間圧延設備の他の例を示すもので、（イ）は概略側面図、（ロ）は加熱装置部分を拡大して示す平面図である。
【符号の説明】
２  粗圧延機
３  粗バー
５  バーヒータ（加熱装置）
６  エッジヒータ（加熱装置）
１３  ピンチロール式サイドシフト装置（サイドシフト装置）
１４  上ピンチロール
１５  下ピンチロール
２８  サイドシフトシリンダ（サイドシフト用駆動装置）
４３  エッジセンサー
４５  制御器
４８，４８ａ  段付ロール式サイドシフト装置（サイドシフト装置）
４９，４９´  段付ロール（搬送用ロール）
５０  段付ロール（搬送用ロール）
５１  段差部
５８  サイドシフト用シリンダ（サイドシフト用駆動装置）
６０  サイドシフト用シリンダ（サイドシフト用駆動装置）
６６  制御器
６７  温度分布センサー
６８，６８´  制御器
【図１】
2004237325.tif 000003
【図２】
2004237325.tif 000004
【図３】
2004237325.tif 000005
【図４】
2004237325.tif 000006
【図５】
2004237325.tif 000007
【図６】
2004237325.tif 000008
【図７】
2004237325.tif 000009
【図８】
2004237325.tif 000010
【図９】
2004237325.tif 000011
【図１０】
2004237325.tif 000012
【図１１】
2004237325.tif 000013
【図１２】
2004237325.tif 000014
【図１３】
2004237325.tif 000015
【図１４】
2004237325.tif 000016